(57)【要約】【課題】悪臭を吸収しつつ、鮮度を保つ効果のある脱臭装置を提供する。【解決手段】キャップ１２の通気口４１から流入した空気は、エチレン吸収体８１内のエチレン吸着剤間を通過する際に、エチレンガスが吸収され除去される。次に、エチレンガスが除去された空気中の悪臭は、その重さにより下側の脱臭体１３側へ移動し、この脱臭体１３によって吸収され除去される。これにより、悪臭とエチレンガスとを吸収することができ、鮮度を保つ効果のある脱臭装置１となり得る。【選択図】図１
2008304092.tif 000002
【特許請求の範囲】
【請求項１】
容器体に収容された脱臭体によって脱臭する脱臭装置において、
エチレンガスを吸収するエチレン吸収体を前記脱臭体の上部に配設したことを特徴とする脱臭装置。
【請求項２】
前記脱臭体を脱臭剤を含有したゲル状のゲル体で構成し、前記エチレン吸収体を粒状のエチレン吸着剤で構成するとともに、前記エチレン吸収体を前記脱臭体から離間して配置したことを特徴とする請求項１記載の脱臭装置。
【請求項３】
前記容器体の上面開口部を覆うキャップを周壁と天面とからなる容器状に形成し、当該キャップに通気口を設けるとともに、当該キャップ内に前記エチレン吸収体を設けたことを特徴とする請求項１又は２記載の脱臭装置。
【発明の詳細な説明】
【技術分野】
【０００１】
本発明は、悪臭を吸収するとともに、野菜や果物等の鮮度を保つ脱臭装置に関する。
【背景技術】
【０００２】
従来、冷蔵庫内を脱臭する際には、脱臭装置が使用されている。
【０００３】
この脱臭装置としては、たとえば容器体にゲル状の脱臭剤を収容したものが知られており、該ゲル状脱臭剤には、活性炭が含まれているものが提案されている。
【０００４】
これにより、庫内の空気が容器体内のゲル状脱臭剤に接触することで、当該空気に含まれた悪臭成分をゲル状脱臭剤含有の活性炭に吸着できるように構成されている。
【０００５】
このとき、前記ゲル状脱臭剤が揮散して小さくなることを利用して、交換時期が解るように構成されている。
【発明の開示】
【発明が解決しようとする課題】
【０００６】
しかしながら、果物や野菜等が収容される野菜室にあっては、果物や野菜が発生するエチレンガスが腐敗や黄化を促進し鮮度を落とすことが知られており、悪臭を吸収しつつ、鮮度を保つ効果のある脱臭装置が求められている。
【０００７】
本発明は、このような従来の課題に鑑みてなされたものであり、悪臭を吸収しつつ、鮮度を保つ効果のある脱臭装置を提供することを目的とするものである。
【課題を解決するための手段】
【０００８】
前記課題を解決するために本発明の請求項１の脱臭装置にあっては、容器体に収容された脱臭体によって脱臭する脱臭装置において、エチレンガスを吸収するエチレン吸収体を前記脱臭体の上部に配設した。
【０００９】
すなわち、悪臭を吸収する脱臭体は、下側に配置されており、エチレンガスを吸収するエチレン吸収体は、前記脱臭体の上側に配置されている。
【００１０】
ここで、果物や野菜から排出されるエチレンガスは、空気より軽い。また、野菜等から生じる腐敗臭等の悪臭は、メチルメルカプタンや硫化水素や硫化メチル等からなり、空気より重い成分からなる。
【００１１】
このため、エチレンガスや悪臭を含んだ空気は、先ず上側に配置されたエチレン吸収体によって空気成分より軽いエチレンガスが吸収され除去される。そして、空気より重いメチルメルカプタンや硫化水素や硫化メチル等からなる悪臭は、その重さによって前記エチレン吸収体より下側に配置された脱臭体側へ移動し、この脱臭体で吸収され脱臭される。
【００１２】
また、請求項２の脱臭装置においては、前記脱臭体を脱臭剤を含有したゲル状のゲル体で構成し、前記エチレン吸収体を粒状のエチレン吸着剤で構成するとともに、前記エチレン吸収体を前記脱臭体から離間して配置した。
【００１３】
すなわち、前記脱臭体の上側に配設された前記エチレン吸収体は、粒状のエチレン吸着剤で構成されており、粒状のエチレン吸着剤間をエチレンガスと悪臭を含んだ空気が通過する際に、エチレンガスが除去される。また、エチレンガスが除去されたメチルメルカプタン等の悪臭は、その重さによって下側の前記脱臭体側へ移動し、この脱臭体で吸収され脱臭される。
【００１４】
このとき、この脱臭体は、脱臭剤を含有したゲル状のゲル体で構成されている。このため、前記ゲル体が揮散して小さくなることを利用して、交換時期が示される。
【００１５】
そして、前記エチレン吸収体は、前記脱臭体から上方へ離れた位置に配置されており、このエチレン吸収体は、粒状のエチレン吸着剤で構成されている。このため、前記エチレン吸収体と前記脱臭体とを横並びに配置した場合と比較して、前記ゲル体からなる前記脱臭体と悪臭との接触面積を狭くすることなく、横寸法の小型化が図られる。
【００１６】
さらに、請求項３の脱臭装置では、前記容器体の上面開口部を覆うキャップを周壁と天面とからなる容器状に形成し、当該キャップに通気口を設けるとともに、当該キャップ内に前記エチレン吸収体を設けた。
【００１７】
これにより、前記エチレン吸収体と前記脱臭体の両者を容器体に収容する場合と比較して、前記容器体への前記脱臭体の収容と、前記キャップへの前記エチレン吸収体の収容とを個別に行うことがきる。
【発明の効果】
【００１８】
以上説明したように本発明の請求項１の脱臭装置にあっては、悪臭を吸収する脱臭体とエチレンガスを吸収するエチレン吸収体とを備えているため、メチルメルカプタンや硫化水素や硫化メチル等からなる悪臭とエチレンガスとを吸収することができる。
【００１９】
したがって、悪臭を吸収しつつ、鮮度を保つ効果のある脱臭装置を提供することができる。
【００２０】
そして、悪臭を吸収する脱臭体は、下側に配置されており、エチレンガスを吸収するエチレン吸収体は、前記脱臭体の上側に配置されている。
【００２１】
このため、空気成分より軽いエチレンガスを、先ず上側のエチレン吸収体で吸収して除去することができる。
【００２２】
次に、空気より重いメチルメルカプタンや硫化水素や硫化メチル等からなる悪臭は、その重さによって前記エチレン吸収体より下側に配置された脱臭体側へ移動するため、これらの悪臭を、下側の前記脱臭体で吸収して脱臭することができる。
【００２３】
このため、前記脱臭体が前記エチレン吸収体より上方に配置された場合と比較して、前記エチレンガスと前記悪臭とを効率的に排除することができる。
【００２４】
また、請求項２の脱臭装置においては、前記脱臭体の上側に配設された前記エチレン吸収体は、粒状のエチレン吸着剤で構成されており、粒状のエチレン吸着剤間を、エチレンガスや悪臭を含んだ空気が通過する際に、エチレンガスを除去することができる。また、エチレンガスが除去された空気に含まれる悪臭は、その重さによって下側の前記脱臭体側へ移動し、この脱臭体によって悪臭を吸収し脱臭することができる。
【００２５】
このとき、この脱臭体は、脱臭剤を含有したゲル状のゲル体で構成されている。このため、前記ゲル体が揮散して小さくなることを利用して、交換時期を知ることができる。
【００２６】
そして、前記エチレン吸収体は、前記脱臭体から上方へ離れた位置に配置されており、このエチレン吸収体は、粒状のエチレン吸着剤で構成されている。
【００２７】
このため、前記エチレン吸収体と前記脱臭体とを横並びに配置した場合と比較して、前記ゲル体からなる前記脱臭体と空気の接触面積を狭くすることなく、当該脱臭装置の横寸法を小さくすることができる。これにより、設置場所の省スペース化を図ることができる。
【００２８】
さらに、請求項３の脱臭装置では、前記脱臭体を前記容器体に収容するとともに、前記エチレン吸収体を前記キャップに収容するため、前記エチレン吸収体と前記脱臭体の両者を容器体に収容する場合と比較して、前記容器体への前記脱臭体の収容と、前記キャップへの前記エチレン吸収体の収容とを個別に行うことがきる。
【００２９】
これにより、製造過程での効率を高めることができる。
【発明を実施するための最良の形態】
【００３０】
以下、本発明の一実施の形態を図に従って説明する。図１は、本実施の形態にかかる脱臭装置１を示す図である。
【００３１】
この脱臭装置１は、上面開口状の容器体１１と、該容器体１１の上側に嵌着され前記容器体１１の上面開口部を覆うキャップ１２とによって構成されている。前記容器体１１には、ゲル状の脱臭体１３が収容されており、該脱臭体１３は、脱臭剤としての活性炭がゲル体に混入されて形成されている。
【００３２】
これにより、冷蔵庫の野菜室の悪臭が前記脱臭体１３に接触することで、当該空気に含まれた悪臭成分を脱臭体１３含有の活性炭に吸着して脱臭できるように構成されている。このとき、前記脱臭体１３が、空気と触れる接触面２１から揮散して小さくなる様子を前記容器体１１の側面２２から見ることによって交換時期を把握できるように構成されている。
【００３３】
前記キャップ１２は、図１及び図２に示すように、前記容器体１１の上面開口部に適合した楕円形状の天面３１と、該天面３１の周縁より垂下した周壁３２とによって下方へ向けて開口した容器状に形成されており、前記天面３１の中央部には、長方形状の中央開口部３３が開設されている。該中央開口部３３の両端部には、細長のスリット部３４，・・・が並設されており、前記中央開口部３３及び前記スリット部３４，・・・を介して内部に連通している。
【００３４】
前記周壁３２には、図１に示したように、矩形状の通気口４１，・・・が複数開設されており、各通気口４１，・・・は、周面に沿って配列されている。各通気口４１，４１の間には、外側に膨出した柱部４２，・・・が形成されており、該柱部４２の内側には、図３に示すように、上下に延在する板状のリブ４３，・・・が突設されている。前記各柱部４２，・・・は、前記容器体１１の上端部に外嵌する外嵌部４４に接続されており、該外嵌部４４の内側面には、前記容器体１１上縁の鍔部と係合する係合突起４５，・・・が複数箇所に設けられている。
【００３５】
これにより、前記外嵌部４４を前記容器体１１の上端部に外嵌した状態で、前記リブ４３，・・・の下端が前記容器体１１の上縁に当接するように構成されており、この当接状態において、前記容器体１１に対する前記キャップ１２の挿入量を規制できるように構成されている。
【００３６】
前記各通気口４１，・・・は、前記周壁３２の上側領域に配置されており、前記各通気口４１，・・・下縁から前記外嵌部４４上縁までの下側領域５１には、薄肉部５２，・・・が形成されている。この薄肉部５２，・・・によって隣接する柱部４２，４２は前記下部領域５１が連設されており、当該キャップ１２には、前記外嵌部４４から前記各通気口４１，・・・までの前記下側領域５１が前記柱部４２，・・・及び前記薄肉部５２，・・・により全周に渡って閉鎖されるとともに、当該キャップ１２を前記容器体１１に嵌着した状態で該容器体１１内の前記脱臭体１３の前記接触面２１を周囲から覆う包囲部５３が形成されている。
【００３７】
この包囲部５３の内側には、図２及び図３に示すように、板形状の載置板６１が設けられている。該載置板６１は、図２に示したように、当該キャップ１２の長さ方向に延在する長方形状に形成されており、前記中央開口部３３の下部に配設されている。この載置板６１は、前記中央開口部３３の開口縁部より下方へ垂下した支持部６２，・・・によって各辺が支持されており、キャップ１２成形時に上下方向に型抜きされる金型によって当該キャップ１２に一体形成できるように構成されている。
【００３８】
前記載置板６１は、図３及び図４に示したように、前記通気口４１下縁の高さ位置から前記外嵌部４４上縁の高さ位置までの範囲内に設けられており、当該キャップ１２を前記容器体１１に装着した状態で、前記包囲部５３上端の高さ位置から前記容器体１１に収容された前記脱臭体１３の接触面２１の高さ位置までの範囲内であって、前記脱臭体１３から離間した位置で前記接触面２１に沿って延在するように配置されている。
【００３９】
前記載置板６１は、図２及び図３に示したように、縦横に延在する縦壁７１，・・・によって格子状に形成されており、各縦壁７１，・・・が交差する交差点には、円柱状の円柱部７２，・・・が一体形成されている。前記載置板６１には、四方が前記縦壁７１，・・・によって包囲された矩形状の通流穴７３，・・・が複数形成されており、各通流穴７３，・・・は、当該載置板６１の全域に分散して配置されている。
【００４０】
そして、このキャップ１２天面３１の前記中央開口部３３からは、図１及び図３に示すように、エチレン吸収体８１が当該キャップ１２内に収容されるように構成されており、このエチレン吸収体８１は、前記載置板６１上に載置された状態で、該載置板６１を支持する支持部６２，・・・によって載置板６１外周部への離脱が防止されている。
【００４１】
このエチレン吸収体８１は、前記載置板６１で支持された状態で、前記容器体１１の前記脱臭体１３の上部に配設されるように構成されており、当該エチレン吸収体８１は、前記脱臭体１３から上方へ離間するとともに、前記キャップ１２の周壁３２に開設された前記通気口４１の高さ位置に配置されるように構成されている。
【００４２】
このエチレン吸収体８１は、エチレンガスを吸着する粒状のエチレン吸着剤と、該エチレン吸着剤を収容する袋体からなり（図示省略）、該袋体は、空気の通過を許容する不織布で構成されている。
【００４３】
これにより、当該キャップ１２を前記容器体１１に装着した状態で、エチレンガスを吸収する前記エチレン吸収体８１が、悪臭を吸収する前記脱臭体１３の上部に配設されるように構成されている。
【００４４】
以上の構成にかかる本実施の形態において、悪臭を吸収する脱臭体１３は、当該脱臭装置１の下側に配置されており、エチレンガスを吸収するエチレン吸収体８１は、前記脱臭体１３の上側に配置されている。
【００４５】
ここで、果物や野菜から排出されるエチレンガスは、空気より軽い。また、野菜等から生じる腐敗臭等の悪臭は、メチルメルカプタンや硫化水素や硫化メチル等からなり、空気より重い成分からなる。
【００４６】
このため、エチレンガスや悪臭を含んだ野菜室の空気は、先ず上側に配置されたエチレン吸収体８１によって空気成分より軽いエチレンガスが吸収され除去される。そして、空気より重いメチルメルカプタンや硫化水素や硫化メチル等からなる悪臭は、その重さによって前記エチレン吸収体８１より下側に配置された前記脱臭体１３側へ移動し、この脱臭体１３で吸収され脱臭される。
【００４７】
このように、本実施の形態の脱臭装置にあっては、悪臭を吸収する前記脱臭体１３と、エチレンガスを吸収する前記エチレン吸収体８１とを備えることによって、メチルメルカプタンや硫化水素や硫化メチル等からなる悪臭と、果物や野菜の腐敗や黄化を促進するエチレンガスとを吸収することができる。
【００４８】
したがって、悪臭を吸収しつつ、鮮度を保つ効果のある脱臭装置１を提供することができる。
【００４９】
そして、悪臭を吸収する前記脱臭体１３は、当該脱臭装置１の下側に配置されており、エチレンガスを吸収する前記エチレン吸収体８１は、前記脱臭体１３の上側に配置されている。
【００５０】
このため、空気成分より軽いエチレンガスを、先ず上側のエチレン吸収体８１で吸収して除去することができる。
【００５１】
次に、空気より重いメチルメルカプタンや硫化水素や硫化メチル等からなる悪臭は、その重さによって前記エチレン吸収体８１より下側に配置された前記脱臭体１３側へ移動するため、これらの悪臭を、下側の脱臭体１３で吸収して脱臭することができる。
【００５２】
このため、前記脱臭体１３が前記エチレン吸収体８１より上方に配置された場合と比較して、前記エチレンガスと前記悪臭とを効率的に排除することができる。
【００５３】
また、前記脱臭体１３の上側に配設された前記エチレン吸収体８１は、粒状のエチレン吸着剤で構成されており、キャップ１２の通気口４１，・・・から流入した、エチレンガスや悪臭を含んだ空気が粒状のエチレン吸着剤間を通過する際に、前記エチレンガスを除去することができる。また、エチレンガスが除去された空気中の悪臭は、前記載置板６１外周部及び当該載置板６１に設けられた通流穴７３，・・・を介して、その重さにより下側の前記脱臭体１３側へ移動し、この脱臭体１３によって悪臭を吸収し脱臭することができる。
【００５４】
このとき、この脱臭体１３は、脱臭剤としての活性炭を含有したゲル状のゲル体で構成されている。このため、このゲル体が揮散して小さくなることを利用して、交換時期を知ることができる。
【００５５】
そして、前記エチレン吸収体８１は、前記脱臭体１３から上方へ離れた位置に配置されており、このエチレン吸収体８１は、粒状のエチレン吸着剤で構成されている。
【００５６】
このため、前記エチレン吸収体８１と前記脱臭体１３とを横並びに配置した場合と比較して、前記ゲル体からなる前記脱臭体１３と空気との接触面積を狭くすることなく、当該脱臭装置１の横寸法を小さくすることができる。これにより、設置場所の省スペース化を図ることができる。
【００５７】
さらに、前記脱臭体１３を前記容器体１１に収容するとともに、前記エチレン吸収体８１を前記キャップ１２に収容したため、前記エチレン吸収体８１と前記脱臭体１３の両者を容器体１１に収容する場合と比較して、当該容器体１１への前記脱臭体１３の収容と、前記キャップ１２への前記エチレン吸収体８１の収容とを別工程で行うことができる。
【００５８】
これにより、製造過程での効率化を図ることができる。
【図面の簡単な説明】
【００５９】
【図１】本発明の一実施の形態を示す側面図である。
【図２】同実施の形態を示す平面図である。
【図３】図２のＡ−Ａ断面図である。
【図４】図３の要部拡大図である。
【符号の説明】
【００６０】
１    脱臭装置
１１    容器体
１２    キャップ
１３    脱臭体
２１    接触面
３１    天面
３２    周壁
４１    通気口
６１    載置板
８１    エチレン吸収体
【図１】
2008304092.tif 000003
【図２】
2008304092.tif 000004
【図３】
2008304092.tif 000005
【図４】
2008304092.tif 000006